(57)【特許請求の範囲】
【請求項１】
吸込み口、吹出し口、および前記吸込み口から前記吹出し口に至る風路を有する室内機本体と、
前記風路内に配置された送風ファンと、
前記風路内に配置され、前記送風ファンによって前記吸込み口から吸込まれた室内空気と冷媒とを熱交換して空調空気を生成する熱交換器と、
前記吹出し口に着脱自在に配置され、前記空調空気の吹出し方向を上下方向に調整する上下風向板と、
前記室内機本体内の前記上下風向板の空気上流側に、装着位置から移動可能に配置され、前記空調空気の吹出し方向を左右方向に調整する左右風向調整機構とを備え、
前記左右風向調整機構は、前記上下風向板が前記吹出し口に配置された状態における、前記左右風向調整機構の前記装着位置からの移動を規制するストッパー手段を有し、
前記左右風向調整機構は、左右方向に間隔を空けて配列された複数の左右風向板と、前記複数の左右風向板を左右方向に回転可能に支持する支持部材とを備え、
前記ストッパー手段は、前記左右風向調整機構が前記装着位置に装着された状態で、前記支持部材から前記上下風向板側に向けて延出するストッパー片で構成され、
前記左右風向調整機構が前記装着位置から移動して前記吹出し口を開放しようとした際に前記ストッパー片が前記上下風向板に当接することで前記左右風向調整機構の移動を規制し、
前記風路を形成する風路形成部材は、前記左右風向調整機構が前記装着位置に装着された状態において前記ストッパー手段を収納する収納凹部を備える
ことを特徴とする空気調和機の室内機。
【請求項２】
前記上下風向板が可動範囲のいずれの位置に移動していても、前記左右風向調整機構を前記装着位置から移動させて前記吹出し口を開放しようとした際に、前記ストッパー片が前記上下風向板に当接する
ことを特徴とする請求項１記載の空気調和機の室内機。
【請求項３】
前記ストッパー片は、先細り形状に構成されている
ことを特徴とする請求項１または請求項２記載の空気調和機の室内機。
【請求項４】
前記左右風向調整機構は、前記左右風向調整機構の左右方向の両端のうちの一端を支点に回動して他端側を前記室内機本体の外部へ引き出すことで前記吹出し口を開放可能であり、
前記ストッパー手段が、前記左右風向調整機構の回動を規制するものであって、前記左右風向調整機構の回動支点とは反対側の端部側に設けられている
ことを特徴とする請求項３記載の空気調和機の室内機。
【請求項５】
前記左右風向調整機構は、前記左右風向調整機構の前記他端側を前記室内機本体の外部へ引き出す際にユーザによって把持されるツマミ部を有し、前記ストッパー手段は前記ツマミ部と一体に形成されている
ことを特徴とする請求項４記載の空気調和機の室内機。
【請求項６】
前記左右風向調整機構は、前記装着位置に着脱自在に装着されている
ことを特徴とする請求項１〜請求項３のいずれか一項に記載の空気調和機の室内機。
【請求項７】
前記上下風向板は、前記吹出し口に上下に２枚、着脱自在に配置されており、
前記送風ファンの運転中で且つ下側の前記上下風向板が取り外された状態において、前記左右風向調整機構を前記装着位置から移動させて前記吹出し口を開放しようとした際に、前記ストッパー手段が上側の前記上下風向板に当接して前記左右風向調整機構の移動が規制され、
前記送風ファンの運転中に上側の前記上下風向板が取り外された際には、前記送風ファンが停止する
ことを特徴とする請求項１〜請求項６のいずれか一項に記載の空気調和機の室内機。
【請求項８】
前記上下風向板および前記左右風向調整機構は、左右方向に２つずつ配置されている
ことを特徴とする請求項１〜請求項７のいずれか一項に記載の空気調和機の室内機。
【発明の詳細な説明】
【技術分野】
【０００１】
本発明は、空気調和機の室内機に関する。
【背景技術】
【０００２】
従来の空気調和機の室内機の吹出し口には、冷却または加熱された空調空気の吹出し方向を上下方向に調整する上下風向板と、空調空気の吹出し方向を左右方向に調整する左右風向調整機構とが設けられている（例えば、特許文献１参照）。
【０００３】
この種の風向調整手段を備えた室内機として、上下風向板を取り外し可能にするとともに、左右風向調整機構を室内機本体内の装着位置から移動可能とし、内部清掃を可能としたものもある。
【先行技術文献】
【特許文献】
【０００４】
【特許文献１】特開２００５−７６９５０号公報（要約）
【発明の概要】
【発明が解決しようとする課題】
【０００５】
室内機の内部清掃を可能とした室内機において、送風ファンの回転中に上下風向板が取り外され、さらに左右風向調整機構も装着位置から移動されると、吹出し口が開放された状態となる。この状態では、吹出し口から送風ファンに連通する風路へ、ユーザ側からアクセス可能となる。このため、風路内にユーザの指または異物等が差し込まれて送風ファンに接触し、運転に支障をきたす可能性がある。
【０００６】
本発明は、上記のような課題を解決するためになされたもので、吹出し口からの指または異物等の差し込みを防止することが可能な空気調和機の室内機を得ることを目的とする。
【課題を解決するための手段】
【０００７】
本発明に係る空気調和機の室内機は、吸込み口、吹出し口、および吸込み口から吹出し口に至る風路を有する室内機本体と、風路内に配置された送風ファンと、風路内に配置され、送風ファンによって吸込み口から吸込まれた室内空気と冷媒とを熱交換して空調空気を生成する熱交換器と、吹出し口に着脱自在に配置され、空調空気の吹出し方向を上下方向に調整する上下風向板と、室内機本体内の上下風向板の空気上流側に、装着位置から移動可能に配置され、空調空気の吹出し方向を左右方向に調整する左右風向調整機構とを備え、左右風向調整機構は、上下風向板が吹出し口に配置された状態における、左右風向調整機構の装着位置からの移動を規制するストッパー手段を有し、左右風向調整機構は、左右方向に間隔を空けて配列された複数の左右風向板と、複数の左右風向板を左右方向に回転可能に支持する支持部材とを備え、ストッパー手段は、左右風向調整機構が装着位置に装着された状態で、支持部材から上下風向板側に向けて延出するストッパー片で構成され、左右風向調整機構が装着位置から移動して吹出し口を開放しようとした際にストッパー片が上下風向板に当接することで左右風向調整機構の移動を規制し、風路を形成する風路形成部材は、左右風向調整機構が装着位置に装着された状態においてストッパー手段を収納する収納凹部を備えるものである。
【発明の効果】
【０００８】
本発明によれば、吹出し口からの指または異物等の差し込みを防止することが可能な空気調和機の室内機を得ることができる。
【図面の簡単な説明】
【０００９】
【図１】本発明の実施の形態１に係る空気調和機の室内機全体の分解斜視図である。
【図２】本発明の実施の形態１に係る空気調和機の室内機全体の断面図である。
【図３】図１のドレンパンから右側の上下風向板が取り外された状態の斜視図である。
【図４】図１の左右風向調整機構の斜視図である。
【図５】図４の支持部材の斜視図であり、（ａ）表面側と、（ｂ）裏面側とをまとめて示した図である。
【図６】図１のドレンパンにおいて上下風向板を全て取り外し、さらに左右風向調整機構が装着位置から引き出しされた状態を示す斜視図である。
【図７】図１の筐体内におけるドレンパンの設置姿勢でのドレンパンの断面を示しており、（ａ）上下両方の上下風向板が装着された状態と、（ｂ）下側の上下風向板が取り外され、左右風向調整機構が僅かに下方に引き出された状態とをまとめて示した図である。
【図８】図１の上下風向板が開いた状態でドレンパンを下側から見た斜視図である。
【図９】図８を真下から見た図である。
【図１０】図４のストッパー片の収納凹部の拡大斜視図である。
【図１１】本発明の実施の形態１に係る空気調和機の室内機における左右風向調整機構１０の他の移動例を示す図である。
【発明を実施するための形態】
【００１０】
実施の形態１．
図１は、本発明の実施の形態１に係る空気調和機の室内機全体の分解斜視図である。図２は、本発明の実施の形態１に係る空気調和機の室内機全体の断面図である。図３は、図１のドレンパンから右側の上下風向板が取り外された状態の斜視図である。
【００１１】
図１および図２に示すように、空気調和機の室内機（以下「室内機」と称する）１００は、吸込み口１ａおよび吹出し口１ｂが形成され、意匠部品である筐体１と、室内の壁面（図示しない）に設置される基台２とを備えている。筐体１と基台２とで室内機本体１００ａが構成され、室内機本体１００ａ内部には、吸込み口１ａから吹出し口１ｂに至る風路が形成されている。
【００１２】
室内機１００はさらに、室内機本体１００ａ内に配置され、吸込み口１ａから室内空気を吸込み、吹出し口１ｂから空調空気を吹出す送風ファン３と、送風ファン３から吹出し口１ｂに至る風路１ｃに配設され、室内空気と冷媒とを熱交換させて空調空気を生成する熱交換器４とを備えている。そして、熱交換器４の下方には、熱交換器４から滴下するドレン水を受け止めるドレンパン５が配置されている。ドレンパン５は、上面５ａが実際にドレン水を受け止めるドレンパン面を形成し、下面（「風路形成部材」に相当する）５ｂは風路１ｃの一部を形成している。室内機本体１００ａ内にはさらに、フィルター自動清掃機構６と、電気品７とを備えている。
【００１３】
また、筐体１の吹出し口１ｂには、吹出し口１ｂを開閉するとともに、熱交換器４にて生成された空調空気の吹出し方向を上下方向に調整する上下風向板８ａ〜８ｄ（後述の図８参照。）（以下、上下風向板８と総称する場合がある）が配置されている。
【００１４】
上下風向板８は、左右方向が長手方向となる板状部材であり、吹出し口１ｂに左右に分けて配置され、その左右のそれぞれにおいて上下に２枚ずつ配置されている。下側の上下風向板８ｃ、８ｄは、風向制御のしやすさの観点から上側の上下風向板８ａ、８ｂに比べて短手方向の長さが長く形成されている。
【００１５】
上下風向板８は、室内機本体１００ａ内の内部清掃を可能とするため、ドレンパン５に着脱自在に設けられている。具体的には、上下風向板８の長手方向の両端部に支持部（図示せず）を有し、支持部には側方に突出した支軸（図示せず）が設けられている。そして、一方の支軸（図示せず）は、吹出し口１ｂの長手方向の両端部であって、ドレンパン５の左右側面の軸受（図示せず）に回動自在に支持されている。他方の支軸は吹出し口１ｂの長手方向の中央部であって、ドレンパン５の下面５ｂに設けられた支持部５１ａ、５１ｂ（後述の図６参照）の軸受け部５２ａ、５２ｂ（後述の図６参照）に回動自在に支持されている。上下風向板８の２つの支軸のうち、ドレンパン５の左右側面側の支軸はモータ（図示せず）に連結され、上下風向板８は上下方向に回動可能となっている。
【００１６】
上側の上下風向板８ａ、８ｂの支軸を支持する軸受け部５２ａには、送風ファン３を停止する停止スイッチ（図示せず）が内蔵されており、上側の上下風向板８ａ、８ｂがドレンパン５から取り外されると、送風ファン３が停止するようになっている。停止スイッチは、上側の軸受け部５２ａのみに設けられ、下側の軸受け部５２ｂには設けられていない。よって、送風ファン３の運転中に上側の上下風向板８ａ、８ｂがドレンパン５から取り外されると、送風ファン３は停止するが、下側の上下風向板８ｂ、８ｃがドレンパン５から取り外されても、送風ファン３は停止せずに運転したままとなるようになっている。
【００１７】
なお、ここでは上下風向板８が左右に分けて設けられた構成を示しているが、左右に分けずに長手方向に一体の構成でもよい。また、上下風向板８がドレンパン５に設けられた構成を示したが、要するに風路形成部材に設けられていればよい。
【００１８】
筐体１の吹出し口１ｂにはさらに、上下風向板８よりも空気上流に配置され、調和空気の左右方向の吹出方向を調整する左右風向調整機構１０が、吹出し口１ｂの左右方向に２つ配置されている。なお、左右風向調整機構１０は、左右に２つの構成に限られず、上下風向板８と同様、左右に分けずに一体の構成でもよい。
【００１９】
次に、左右風向調整機構１０について説明する。
図４は、図１の左右風向調整機構の斜視図である。図５は、図４の支持部材の斜視図であり、（ａ）表面側と、（ｂ）裏面側とをまとめて示した図である。なお、図４は右側の左右風向調整機構１０であり、図５は、左側の左右風向調整機構の支持部材を示している。図６は、図１のドレンパンにおいて上下風向板を全て取り外し、さらに左右風向調整機構が装着位置から引き出しされた状態を示す斜視図である。
【００２０】
左右風向調整機構１０は、複数の左右風向板１１と、支持部材１２と、左右風向板１１を連動させる連動機構を形成する連結棒１３と、連結棒１３を左右方向に移動させるモータ１４と、連結棒１３と駆動手段とを接続する接続体１５とを有する。
【００２１】
複数の左右風向板１１は、左右方向に間隔を空けて配列され、左右方向に回動可能に支持部材１２に支持されている。複数の左右風向板１１のそれぞれは、連結棒１３と連結するための連結用突起を有しており、この連結用突起が連結棒１３に設けられた挿入穴（図示せず）に挿入されることで、複数の左右風向板１１が連結棒１３に連結されている。そして、連結棒１３の一端は、接続体１５を介してモータ１４に接続されており、モータ１４の回転駆動が接続体１５および連結棒１３を介して複数の左右風向板１１に伝達し、複数の左右風向板１１が連動して左右方向に回動するようになっている。
【００２２】
左右風向調整機構１０は、内部清掃を可能とするため、装着位置から移動可能で、吹出し口１ｂを開放することが可能となっている。具体的には、左右風向調整機構１０は、図６に示すように、左右風向調整機構１０の一端を支点に回動して他端側を室内機本体１００ａの外部へ引き出すことが可能となっている。左右風向調整機構１０の支持部材１２において回動支点とは反対側の端部には、左右風向調整機構１０を室内機本体１００ａの外部に引き出す際のツマミ部１６が支持部材１２に一体に設けられている。
【００２３】
ここで、図６に示すように、下側の上下風向板８ｃ、８ｄが取り外され、さらに左右風向調整機構１０が装着位置から移動されると、吹出し口１ｂから送風ファン３に連通する風路１ｃへユーザ側からアクセス可能となる。よって、吹出し口１ｂから指または異物等が差し込まれて送風ファン３に接触し、送風ファン３が破損する等、運転に支障をきたす可能性がある。なお、上側の上下風向板８ａ、８ｂが取り外された場合には、上述したように送風ファン３は停止することから、上記の不都合は生じない。これらを踏まえると、下側の上下風向板８が取り外され且つ上側の上下風向板８ａ、８ｂが装着された状態で左右風向調整機構１０が取り外されると、不都合が生じる可能性があるということになる。
【００２４】
そこで、本実施の形態１では、このような不都合を未然に回避するため、上下風向板８が装着された状態で左右風向調整機構１０を取り外せない構造とした。具体的には、上下風向板８ａ、８ｂが吹出し口１ｂに配置された状態において、左右風向調整機構１０を装着位置から移動させて吹出し口１ｂを開放しようとした際に、左右風向調整機構１０の移動を規制するストッパー手段１７を室内機１００に設けた。以下、ストッパー手段１７の構成について説明する。
【００２５】
図７は、図１の筐体内におけるドレンパンの設置姿勢でのドレンパンの断面を示しており、（ａ）上下両方の上下風向板が装着された状態と、（ｂ）下側の上下風向板が取り外され、左右風向調整機構が僅かに下方に引き出された状態とをまとめて示した図である。図８は、図１の上下風向板が開いた状態でドレンパンを下側から見た斜視図である。図９は、図８を真下から見た図である。図１０は、図４のストッパー片の収納凹部の拡大斜視図である。
【００２６】
ストッパー手段１７は、支持部材１２から外方に延出されたストッパー片１７で構成され、ストッパー片１７は、左右風向調整機構１０が装着位置に装着された状態で、少なくとも一部が上下風向板８の室内機本体１００ａ奥側に位置している。ストッパー片１７は、上下風向板８が可動範囲のいずれの位置に移動していても、左右風向調整機構１０が引き出された際に上下風向板８に当接するように、延出長さが設定されている。
【００２７】
ストッパー片１７の支持部材１２における位置は限定するものではないが、ここでは図６に示すように左右風向調整機構１０の回動支点と反対側の端部側としている。仮にストッパー片１７を回動支点に近い位置に設けた場合、ツマミ部１６を把持して左右風向調整機構１０が強く引き出された際に、ストッパー片１７を支点として支持部材１２が撓んで変形する可能性がある。よって、回動支点とは反対側の端部にストッパー片１７を設けることで、このような支持部材１２の撓みを防止して安定してストッパー手段としての機能を発揮できる。上記の理由から、ストッパー片１７の位置は回動支点の反対側の端部が好ましいが、この位置に限られたものではなく、左右風向調整機構１０を回動して引き出そうとした際に、上下風向板８に当接する位置であればよい。
【００２８】
また、支持部材１２において回動支点と反対側の端部側は、ツマミ部１６を把持して左右風向調整機構１０を引き出す動作において、一番動きが大きくなる部分であり、引き出し力がかかりやすい部分である。よって、ストッパー片１７はツマミ部１６と一体に形成されるとともに、背面にリブ１７ａ（図５（ｂ）参照）が設けられ、ストッパー片１７の剛性が高められている。これらの剛性を高めるための構成は必ずしも必須ではなく、剛性に問題無ければ省略してもよい。
【００２９】
また、ストッパー片１７は、左右風向調整機構１０がドレンパン５に装着された状態において、ドレンパン５の下面５ｂに設けられたストッパー片１７の収納凹部５３（図６〜図１０参照）内に収納される。これにより、風路１ｃを通過する空調空気がストッパー片１７で妨げられることがないようになっている。
【００３０】
また、ストッパー片１７は、先細り形状に構成されている。ストッパー片１７の先端が重いと、その先端が、収納凹部５３から離れて下方に垂れ下がり、風路１ｃを妨げる可能性がある。よって、ストッパー片１７の先端を軽量化して風路１ｃの妨げを防止するために、ストッパー片１７の先端を先細り形状としている。ストッパー片１７を収納する収納凹部５３は、ストッパー片１７を収納できる深さを有していればよいが、下方に垂れ下がりやすいストッパー片１７の先端を常に収納した状態に保てるように、深さが決定されるとよい。なお、ストッパー片１７の先端が垂れ下がる心配がなければ、先細り形状にしなくてもよく、形状は任意である。
【００３１】
次に、上記のように構成された実施の形態１の動作について説明する。冷房または暖房運転時、送風ファン３が回転することにより、室内空気が吸込み口１ａから室内機本体１００ａ内に吸込まれる。吸込まれた空気は、熱交換器４で冷媒と熱交換して冷却または加熱され、その冷却または加熱された空調空気は上下風向板８および左右風向調整機構１０で風向が調整されて吹出し口１ｂから室内へ送風される。また、冷房運転中は熱交換器４にて凝縮したドレン水がドレンパン５に溜まり、室外に排出される。
【００３２】
このように送風ファン３の運転中に、上側の上下風向板８ａ、８ｂが取り外された場合、停止スイッチがＯＮして送風ファン３が停止する。一方、上下風向板８ａ、８ｂが装着された状態で左右風向調整機構１０を室内機本体１００ａ外に引き出そうとした場合、ストッパー片１７が上下風向板８ａ、８ｂの裏面に当接し、左右風向調整機構１０の引き出しが規制される。よって、送風ファン３の運転中に吹出し口１ｂから送風ファン３に連通する風路１ｃがユーザによってアクセス可能に開放されることがない。このため、風路１ｃへの指または異物等の差し込みを防止することが可能となる。
【００３３】
ストッパー片１７は、上下風向板８ａ、８ｂがどの可動位置に位置していても、また、上下風向板８ａ、８ｂの短手方向の幅がどの程度の長さであっても、左右風向調整機構１０の引き出しを規制できるように構成される。よって、見方を変えれば、上下風向板８ａ、８ｂの短手方向の幅に自由度が出る。
【００３４】
なお、左右風向調整機構１０を移動させて吹出し口１ｂを開放するにあたり、ここでは、一端を支点に左右風向調整機構１０が回動して室内機本体１００ａの外部に引き出す構成の例を説明したが、これに限られたものではない。要するに、内部清掃が可能となるように左右風向調整機構１０が装着位置から移動可能に構成されていればよい。例えば、次の図１１のように構成してもよい。
【００３５】
図１１は、本発明の実施の形態１に係る空気調和機の室内機における左右風向調整機構の他の移動例を示す図である。
図１１に示した例では、左右風向調整機構１０が装着位置に着脱自在に装着され、左右風向調整機構１０を装着位置から完全に取り外すことで、内部清掃可能に吹出し口１ｂを開放する構成である。具体的には、支持部材１２の両端部を平板状の差し込み部１２ａとし、左右風向調整機構１０の支持部材１２をドレンパン５の下面５ｂに沿って下方向にスライドさせることで、差し込み部１２ａを、ドレンパン５の下面５ｂに設けた係止部５４に差し込んで係止する構造である。
【００３６】
この構造の場合、左右風向調整機構１０を取り外す際には、支持部材１２をドレンパン５の下面５ｂに沿って上方向にスライドさせ、差し込み部１２ａと係止部５４との係止を解除することで、左右風向調整機構１０をドレンパン５から取り外すことになる。この構造では、以下の構成とすることで、ストッパー片１７を機能させることができる。すなわち、上側の上下風向板８ａ、８ｂが装着されていると、差し込み部１２ａと係止部５４との係止が解除されない範囲でのスライドしかできない構成とする。これにより、差し込み部１２ａが係止部５４に係止したままで、ストッパー片１７の少なくとも一部が上下風向板８の奥側に位置した状態となり、左右風向調整機構１０を取り外せない構成とできる。このように、左右風向調整機構１０が装着位置に着脱自在に装着された構成においても、上下風向板８が吹出し口１ｂに配置された状態でストッパー片１７が機能する。
【００３７】
また、係止部５４で風路を妨がないように、ドレンパン５の下面５ｂの一部を凹ませて係止部５４を差し込み部１２ａとともにその凹み部に収納するようにしてもよい。
【符号の説明】
【００３８】
１  筐体、１ａ  吸込み口、１ｂ  吹出し口、１ｃ  風路、２  基台、３  送風ファン、４  熱交換器、５  ドレンパン、５ａ  上面、５ｂ  下面、６  フィルター自動清掃機構、７  電気品、８  上下風向板、８ａ  上下風向板、８ｂ  上下風向板、８ｃ  上下風向板、１０  左右風向調整機構、１１  左右風向板、１２  支持部材、１２ａ  差し込み部、１３  連結棒、１４  モータ、１５  接続体、１６  ツマミ部、１７  ストッパー手段（ストッパー片）、１７ａ  リブ、５１ａ  支持部、５１ｂ  支持部、５２ａ  軸受け部、５２ｂ  軸受け部、５３  収納凹部、５４  係止部、１００  室内機、１００ａ  室内機本体。
【図１】
0006385172.tif 000002
【図２】
0006385172.tif 000003
【図３】
0006385172.tif 000004
【図４】
0006385172.tif 000005
【図５】
0006385172.tif 000006
【図６】
0006385172.tif 000007
【図７】
0006385172.tif 000008
【図８】
0006385172.tif 000009
【図９】
0006385172.tif 000010
【図１０】
0006385172.tif 000011
【図１１】
0006385172.tif 000012